(57)【特許請求の範囲】
【請求項１】
平板の周辺に複数個の突起２を均等間隔に設け、上面に凹状窪み３を設けた形状で、質量が自然石と同等で且つ環境に優しい粘性材料を固め成形した、「マキコボシ釣り」の釣具用捨て錘。
【発明の詳細な説明】
【０００１】
【発明の属する技術分野】
本発明は、「マキコボシ釣り」の釣具用捨て錘であって、釣糸の絡み防止及び錘の抜け落ち防止等のための形状を成し、自然環境に優しい材料にて成形された捨て錘に関する。
【０００２】
【従来の技術】
従来、捨て錘は自然石や瓦片が使われている。
【０００３】
「マキコボシ釣り」はボートによる生け簀周りの真鯛やイナダ釣り等に大変有効で、伊豆地方を中心に全国で古くから親しまれている釣り方であり、釣竿を使わず、図３の通り、釣針と糸だけの簡単な仕掛けの釣具と、これをタナ（魚の遊泳層）に沈めるための捨て錘を使うだけの簡素な釣り方である。
従来、捨て錘は川原や海岸に落ちている大きさが７センチ平方で厚さ１５ミリメートル程度の平らな自然石や瓦片が使われている。
【０００４】
この捨て錘の使い方を説明すると、▲１▼石や瓦片の上に釣針を刺した付け餌を乗せ、▲２▼その上に撒餌を一つまみ乗せる、▲３▼乗せた撒餌を石に縛り付けるように石全体にハリスをグルグル巻きつける、▲４▼これを海中に水平にそっと離すとユラユラと沈んでゆくので、道糸を張らないように送り込みながら沈めていく、▲５▼タナの深さまで道糸を送り出したら道糸を持って送出しを止める、▲６▼すると道糸が張って石が回転し巻きつけたハリスがほどけて撒餌が散り出される，▲７▼まもなく石が外れて落ちると、付け餌が撒餌の撒かれた海中を漂って魚の食いを待つ状態になる。
【０００５】
【発明が解決しようとする課題】
しかしながら、自然石や瓦片の錘は整った形の物が少ないので、海中で回転しハリスがほどけながら沈んでゆく時、、バランスが悪く左右振動が大きくなって巻いたハリスが緩み、ハリスの環から錘が抜け落ちてしまうことが多い。この結果、海中で釣糸絡まりや釣糸が直ぐに伸びないため魚が食わなくなるという問題点があり、この為、ハリスを巻きつける時は錘の端から丁寧にハリスを並行に揃えてしっかりと巻きつけられるよう習熟が必要であった。
【０００６】
さらに、平らな面の上に釣針を刺した付け餌を置き、その上からハリスを巻くのでハリスに釣針が絡まり易いという問題もあった。
【０００７】
また、自然石は厚みが均一でなく形も上下左右対称ではない為、海中に投入後、ユラユラと木の葉のように傾き揺れながら沈む。この揺れのため、錘がタナへ到達する前に撒餌が少しずつこぼれ出してしまい、撒餌が無駄になるとともに狙った魚以外の餌取り魚を集めてしまう欠点があった。
【０００８】
さらに、捨て錘は一日分３０個以上必要で、これを事前に準備しなければならないが、最近は海岸や川原で適当な形状の石や瓦片が少なくなって収集困難や手間が掛かり、「マキコボシ釣り」釣りを手軽に楽しむ事が出来なくなってきた問題もある。
【０００９】
【課題を解決するための手段】
本発明は、上記課題を解決するためになされたもので、平板の周辺に複数個の突起２を均等間隔に設け、上面に凹状窪み３を設けた形状とし、質量が自然石と同等で且つ環境に優しい粘性材料を固めて成形する。本発明は、以上のような構成よりなる「マキコボシ釣り」の釣具用捨て錘である。
【００１０】
以下、本手段の作用による問題点の解決を説明する。
【００１１】
錘の抜け落ち解決。周辺に突起２を設けることによって、図６の様に突起２をガイドにして糸巻きのようにハリスを揃えてしっかりと巻ける事と、糸が少々緩んでも突起２に引っかかり錘が抜け落ちない。
【００１２】
ハリスに釣針が絡まない。錘の上面に凹状窪み３を設け、この中に釣針に刺した付け餌を入れることにより、巻きつけるハリスを釣針から充分遠ざけることが出来るので釣針が絡まない。
【００１３】
撒餌のこぼれ出し解決。錘を海中に投入した時、周辺突起２によって出来る渦流の効果と、錘の厚さが均一であることにより錘は水平姿勢を保ったまま海底に向かって沈んで行くので、従来、ユラユラと木の葉のように揺れて撒餌がタナに到着する前にこぼれ出してしまう問題が解決する。
【００１４】
自然石収集難解決。質量が自然石と同等で且つ環境に優しい材料を使うことによって、従来の自然石や瓦片と同様の使用感で、且つ同様に環境に優しい捨て錘が量産、市販化でき、誰でも容易に入手可能になる。
【００１５】
【発明実施の形態】
以下、本発明の実施例を添付図面に基づいて説明する。
【００１６】
図１において、１は本発明の釣り具用捨て錘の本体を示し、該捨て錘は円形の平板の周辺に複数個の突起２を均等間隔に設け、上面に凹状窪み３を設けた形状で、質量が自然石と同等で且つ環境に優しい粘性材料を型枠に入れて一体的に固め成形されている。
【００１７】
質量が自然石と同等で且つ環境に優しい材料は、具体的には、例えば、コンクリート、煉瓦、陶器などが挙げられる。
【００１８】
海の深さ、潮流の強さに応じて数段階の重さの使い別けが必要になる。試行錯誤の結果、真鯛ボート釣りの一般的水深３０メートルの場合、錘の標準重量は約１００グラムであることが解かった。錘重量はその寸法に係わる。１００グラム型の寸法は、厚さ１５ミリメートル直径７０ミリメートルの円形平板の周辺に直径１２ミリメートルの半円形突起２を８個等間隔に設け、上面の凹型窪み３の寸法は直径５０ミリメートル、深さ７ミリメートルの円形窪みである。これを標準寸法として、厚さのみ異なる数段階の重さの錘を使い分けて潮流の強さ、海の深さ変化に対応することができる。
【００１９】
上記実施形態において実施例の寸法を示したが、必ずしもこの寸法に限られず使用環境に応じて変更してもよい。例えば、凹状窪み３は付け餌９が入る最小限の寸法でもよい。
【００２０】
なお、凹状窪み３の壁面は釣り針が引っかかりにくい形状、例えば曲面または４５度の角度で成形したほうがよい。
【００２１】
図１に円形の平板による実施例を示したが、平板の形状は必ずしも円形に限らず、他に海中落下時に安定的姿勢を保つ形状として、例えば正多角形が挙げられる。図７は正四角形板による他の実施例の斜視図である。
【００２２】
本発明は以上のような構造で、これを使用する時は、図３の釣具本体４における釣針５に付け餌９を刺し、これを図４の如く凹状窪み３の中に置く。次ぎに、図５の様に撒餌１０を凹状窪み３に蓋をする如く置く。そして、図６の様に撒餌１０を縛りつけるように、ハリス６を突起２をガイドとして全体に巻きつける。これを海中に水平に静かに離すと水平姿勢を保って沈んでゆくので道糸７が張らないよう手で送り込みながら沈めてゆく。タナの深さまで道糸７を送り出したら止める。すると、道糸７が張って捨て錘本体が回転しながら沈んでゆく感触がピクピクと手に伝わってくる、この時ハリス６が解けて、撒餌１０が散り出されている。まもなく捨て錘本体が外れ落ちると、付け餌９は撒餌１０が撒かれた海中を漂って魚の食いを待つ状態になる。
【００２３】
【発明の効果】
以上の如く、本発明の釣具用捨て錘は、周辺に設けた突起２と凹状窪み３によって、誰でもハリスの巻き方の習熟無しに、錘の抜け落ち失敗や糸絡み等に悩まされずに容易にマキコボシ釣りを楽しむことができる。
【００２４】
また、本発明の釣具用捨て錘は、量産・市販によって、事前に海岸や川原などへ石や瓦片を拾い行く時間と手間が不要になる。さらに、昨今の真鯛用などの釣具は、つり竿、リール、コマセ篭・天秤仕掛けなど多くの道具を用い、しかも高額化しているので、旅先で急に手軽に楽しむことが出来なかったが、本発明により安価な仕掛けで気軽に高級魚釣を楽しむことができるので漁村の観光・レジャー客誘致手段としても役立つ。
【図面の簡単な説明】
【図１】本発明の斜視図である。
【図２】本発明の断面を示す斜視図である。
【図３】本発明の実施の形態に関する釣具本体の説明図である。
【図４】本発明の実施の形態に関する使用状態の説明図である。
【図５】本発明の実施の形態に関する使用状態の説明図である。
【図６】本発明の実施の形態に関する使用状態の説明図である。
【図７】本発明の他の実施例の斜視図である。
【符号の説明】
１  捨て錘本体
２  突起
３  凹状窪み
４  釣具本体
５  釣針
６  ハリス
７  道糸
８  糸巻
９  付け餌
１０  撒餌
【図１】
0004247456.tif 000002
【図２】
0004247456.tif 000003
【図３】
0004247456.tif 000004
【図４】
0004247456.tif 000005
【図５】
0004247456.tif 000006
【図６】
0004247456.tif 000007
【図７】
0004247456.tif 000008